(57)【要約】      （修正有）【課題】蓋の開閉が容易で雪の吹き込みを防止し、且つ、通気性改良による結露防止を可能にし、且つ、蓋の施錠を可能にし、悪戯防止・安全性の向上を可能にする通気調整可能型換気装置を提供する。【解決手段】主に貯蔵タンク本体と、貯蔵タンク本体首部の下端全周部に固着し、全周複数箇所にフック金具を固着して設けた支持バンドと、上部に取手兼通気口を有し、浅椀状の外蓋と、外蓋の内部中心に軸支して上下移動し、固着可能にして設けた円形平板状の中蓋とを一対に組み合わせた二重構造蓋から成り、且つ、二重構造蓋の外蓋は、支持バンドのヒンジ穴部を支点にして所定角度開閉可能にして設け、且つ、外蓋と支持バンドのヒンジ部と対向した周囲側面部に鍵穴部を有する固定金具をそれぞれ設けて施錠可能にし、中蓋は外蓋とは独立して開閉可能に設けた。【選択図】図２
0003123814.tif 000002
【実用新案登録請求の範囲】
【請求項１】
家畜等の飼料を貯蔵する貯蔵タンクの換気装置であって、該換気装置は主に貯蔵タンク本体（１）と、貯蔵タンク本体（１）首部の下端全周部に固着し、全周複数箇所にフック金具（３）を固着して設けた支持バンド（２）と、上部に取手兼通気口（４ｂ）を有し、浅椀状の外蓋（４）と、該外蓋（４）の内部中心に軸支して上下移動し、固着可能にして設けた円形平板状の中蓋（５）とを一対に組み合わせた二重構造蓋から成り、且つ、二重構造蓋の外蓋（４）は、支持バンド（２）のヒンジ穴部（２ａ'）を支点にして所定角度（α）開閉可能にして設け、且つ、外蓋（４）と支持バンド（２）のヒンジ部（４ａ）（２ａ）と対向した周囲側面部に鍵穴部（２ｂ'）（４ｃ'）を有する固定金具（２ｂ）（４ｃ）をそれぞれ設けて施錠可能にし、中蓋（５）は外蓋（４）とは独立して開閉可能に設けた事を特徴とする通気調整可能型換気装置。
【請求項２】
中蓋（５）は、春・夏・秋等気温差の大きい時期での使用時は、中蓋（５）を上方に開いて固着し、通気性向上と結露防止を可能にした事を特徴とする請求項１記載の通気調整可能型換気装置。
【請求項３】
外蓋（４）内部中心軸部（４ｄ）に中蓋（５）落下防止用ワンタッチ式ストッパー（４ｅ）を設けた事を特徴とする請求項１記載の通気調整可能型換気装置。
【考案の詳細な説明】
【技術分野】
【０００１】
この考案は、通気調整可能型換気装置に関するものである。
【背景技術】
【０００２】
従来のベンチレーター（換気装置）の開閉蓋は、冬場の雪の吹き込みを防止する為、通気口を小さく設けていた。その為、春・夏・秋等、気温差が大きい時期には結露が発生し易く、タンク内の飼料（餌）に黴が発生していた。
【０００３】
又、従来のベンチレーターには開閉蓋に鍵が設置されてなかった為、悪戯をされる可能性があり、安全性に問題があった。
【０００４】
そこで、これまでに出願されているベンチレーター（換気装置）の特許文献を参考の為、紹介する。（特許文献1参照。）
【特許文献１】特開平１１−０５６０９２
【考案の開示】
【考案が解決しようとする課題】
【０００５】
そこで、上記課題を解決する為に、この考案は蓋の開閉が容易で雪の吹き込みを防止し、且つ、通気性改良による結露防止を可能にし、且つ、蓋の施錠を可能にすることで悪戯防止・安全性の向上を可能にする通気調整可能型換気装置を開発・提供する事にある。
【課題を解決するための手段】
【０００６】
この課題を解決する為の手段として、主に貯蔵タンク本体と、貯蔵タンク本体首部の下端全周部に固着し、全周複数箇所にフック金具を固着して設けた支持バンドと、上部に取手兼通気口を有し、浅椀状の外蓋と、該外蓋の内部中心に軸支して上下移動し、固着可能にして設けた円形平板状の中蓋とを一対に組み合わせた二重構造蓋から成り、且つ、二重構造蓋の外蓋は、支持バンドのヒンジ穴部を支点にして所定角度開閉可能にして設け、且つ、外蓋と支持バンドのヒンジ部と対向した周囲側面部に鍵穴部を有する固定金具をそれぞれ設けて施錠可能にし、中蓋は外蓋とは独立して開閉可能に設けたものである。
【０００７】
又、中蓋は、春・夏・秋等気温差の大きい時期での使用時は、中蓋を上方に開いて固着し、通気性向上と結露防止を可能にしたものである。
【０００８】
又、外蓋内部中心軸部に中蓋落下防止用ワンタッチ式ストッパーを設けたものである。
【考案の効果】
【０００９】
この考案の効果として、主に貯蔵タンク本体と、貯蔵タンク本体首部の下端全周部に固着し、全周複数箇所にフック金具を固着して設けた支持バンドと、上部に取手兼通気口を有し、浅椀状の外蓋と、該外蓋の内部中心に軸支して上下移動し、固着可能にして設けた円形平板状の中蓋とを一対に組み合わせた二重構造蓋から成り、且つ、二重構造蓋の外蓋は、支持バンドのヒンジ穴部を支点にして所定角度開閉可能にして設け、且つ、外蓋と支持バンドのヒンジ部と対向した周囲側面部に鍵穴部を有する固定金具をそれぞれ設けて施錠可能にし、中蓋は外蓋とは独立して開閉可能に設け、又、中蓋は、春・夏・秋等気温差の大きい時期での使用時は、中蓋を上方に開いて固着し、通気性向上と結露防止を可能にし、又、外蓋内部中心軸部に中蓋落下防止用ワンタッチ式ストッパーを設けて、安全性・操作性を向上した事で、タンク本体内部への雪の吹き込み防止や通気性改善による結露防止による黴の発生を防止し、且つ、蓋の施錠を可能にする事で薬物の添加等の悪戯を防止し、安全性・操作性の向上を図る等、極めて有益なる効果を奏するものである。
【考案を実施するための最良の形態】
【００１０】
この考案の最良の形態として、二重構造蓋の外蓋の断面視形状は雪や雨等が侵入し難く、美観の良い半楕円形状に形成する事が望ましい。又、寸法・形状・材質的にも軽量で人力により開閉可能で安全、且つ、耐久性の良い大きさ・材料を設定する事が重要である。
【実施例１】
【００１１】
そこで、この考案の一実施例を図１〜図２に基づいて詳述すると、家畜等の飼料を貯蔵する貯蔵タンクの換気装置であって、該換気装置は主に貯蔵タンク本体（１）と、貯蔵タンク本体（１）首部の下端全周部に固着し、全周複数箇所にフック金具（３）を固着して設けた支持バンド（２）と、上部に取手兼通気口（４ｂ）を有し、浅椀状の外蓋（４）と、該外蓋（４）の内部中心に軸支して上下移動し、固着可能にして設けた円形平板状の中蓋（５）とを一対に組み合わせた二重構造蓋から成り、且つ、二重構造蓋の外蓋（４）は、支持バンド（２）のヒンジ穴部（２ａ’）を支点にして所定角度（α）開閉可能にして設け、且つ、外蓋（４）と支持バンド（２）のヒンジ部（４ａ）（２ａ）と対向した周囲側面部に鍵穴部（２ｂ’）（４ｃ’）を有する固定金具（２ｂ）（４ｃ）をそれぞれ設けて施錠可能にし、中蓋（５）は外蓋（４）とは独立して開閉可能に設けた事を特徴とする通気調整可能型換気装置から構成される。
【００１２】
又、中蓋（５）は、春・夏・秋等気温差の大きい時期での使用時は、中蓋（５）を上方に開いて固着し、通気性向上と結露防止を可能にした事を特徴とする通気調整可能型換気装置から構成される。
【００１３】
又、外蓋（４）内部中心軸部（４ｄ）に中蓋（５）落下防止用ワンタッチ式ストッパー（４ｅ）を設けた事を特徴とする通気調整可能型換気装置から構成される。
【００１４】
次に、この考案の材質及び寸法形状について詳細に説明すると、まず、貯蔵タンク本体（１）は既存（従来型）のものを使用し、且つ、該貯蔵タンク本体（１）首部の下端全周部にボルト（Ｂ）・ナット（Ｎ）・ワッシャー（Ｗ）等の係止部材で締め付け固着する支持バンド（２）の材質は、鋼製で直径が約Φ３８０ｍｍで幅寸法が約２０ｍｍに形成され、且つ、外周部には外蓋（４）を係止する為のＬ字状のヒンジ部（２ａ）が１箇所とフック金具（３）を係止する為のフック引っ掛け金具（２ｃ）を複数箇所それぞれ設け、更にＬ字状のヒンジ部（２ａ）と対向する位置に施錠用の固定金具（２ｂ）を設けている。
【００１５】
次に、外蓋（４）の材質は鋼製で大きさは外径が約Φ４００ｍｍで高さが約９０ｍｍのほぼ半楕円形状の断面形状をし、外蓋上面には直径約２３ｍｍのコの字状に折り曲げたパイプの取手兼通気口（４ｂ）を設けている。又、外蓋（４）の外周部には開閉用のヒンジ部（４ａ）と施錠用の逆Ｌ字状固定金具（４ｃ）をそれぞれ１箇所設け、且つ、該外蓋（４）の内部中心には案内用軸（４ｄ）を設け、且つ、該案内用軸（４ｄ）部には直径約Φ３３５ｍｍの上下開閉移動可能な中蓋（５）を設け、更に、上下開閉移動する中蓋（５）を固定する為の落下防止用ワンタッチ式ストッパー（４ｅ）を設けている。
【００１６】
次に、この考案の組立要領について説明すると、図1に示す様に、まず、最初に貯蔵タンク本体（１）首部の下端全周部に支持バンド（２）を嵌着し、ボルト（Ｂ）・ナット（Ｎ）・ワッシャー（Ｗ）等の係止部材で締め付け固着する。次に、複数のフック金具（３）を固定金具（２ｃ）に引っ掛けて貯蔵タンク本体（１）を固定する。そして、次に支持バンド（２）のＬ字状のヒンジ部（２ａ）に外蓋（４）のヒンジ部（４ａ）を結合させ、ボルト（Ｂ）・ナット（Ｎ）・ワッシャー（Ｗ）等の係止部材で締め付け固着する。
【００１７】
次に、この考案の飼料貯蔵時の使用方法について説明すると、冬時期等のように貯蔵タンク内と外気の温度差が少ない時は、外蓋（４）内部に結露が発生する事が少ないので、図1に示すように中蓋（５）を閉状態で使用しても構わないが、タンク内部の通気は必要である為、閉状態でも少量の通気が可能な構造と成っており、取手兼通気口（４ｂ’）〜中蓋（５）〜貯蔵タンク本体（１）へと通気が可能である。又、春・夏・秋等、貯蔵タンク内と外気の温度差が大きい時は、図2に示す様に、従来型の取手兼通気口（４ｂ’）に加えて、更に、中蓋（５）を開状態にして外気（空気）（ＡＩ）を貯蔵タンク内に取り込める様にして、温度差を少なくし結露を防止する。又、前記中蓋を開いても、外蓋（４）によって貯蔵タンク上部を覆っている為、雪や雨は侵入する事は無い。又、万が一、外蓋（４）に結露が発生しても、中蓋（５）で貯蔵タンク本体（１）の投入口部を覆っている為、水滴が侵入する事は無い。そして、外蓋（４）と支持バンド（２）の外周部には施錠用固定金具（２ｂ）（４ｃ）が設置されている為、鍵穴部（２ｂ’）（４ｃ’）に鍵（Ｋ）を掛けておけば薬物添加等の悪戯をされる心配が解消される。
【００１８】
図３は従来例を示し、従来型は蓋が二重構造に成っていない為、外気の取り込みはコの字状に折り曲げたパイプの取手兼通気口（４ｂ’）部のみで、通気性が不十分な為、特に春・夏・秋等は結露が発生し易く、貯蔵タンク本体（１）内部の飼料に黴が発生していた。
【産業上の利用可能性】
【００１９】
この考案の通気調整可能型換気装置は、蓋の開閉が容易で雪の吹き込みを防止し、且つ、通気性改良による結露防止を可能にし、且つ、蓋の施錠を可能にすることで悪戯防止・安全性の向上を可能にする為、多くの畜産分野（市場）に寄与する点で、産業上の利用可能性を有する。
【図面の簡単な説明】
【００２０】
【図１】この考案の一実施例を示し、（Ａ）は中蓋閉時の正面図で、（Ｂ）は図1（Ａ）のａ部拡大詳細図である。
【図２】この考案の一実施例を示し、中蓋開時の正面図である。
【図３】この考案の従来例を示し、正面図である。
【符号の説明】
【００２１】
１  貯蔵タンク本体
２  支持バンド
２ａ  支持バンドのヒンジ部
２ａ’  支持バンドのヒンジ穴部
２ｂ  固定金具
２ｂ’  鍵穴部
２ｃ  フック引っ掛け金具
３  フック金具
４  外蓋
４’  従来型の蓋
４ａ  外蓋のヒンジ部
４ａ’  外蓋のヒンジ穴部
４ｂ  取手兼通気口
４ｂ’  従来型蓋の取手兼通気口
４ｃ  固定金具
４ｃ’  鍵穴部
４ｄ  軸部
４ｅ  落下防止用ワンタッチ式ストッパー
５  中蓋
５ａ  案内板
ＡＩ  空気
Ｋ  鍵
Ｂ  ボルト
Ｎ  ナット
Ｗ  ワッシャー
【図１】
0003123814.tif 000003
【図２】
0003123814.tif 000004
【図３】
0003123814.tif 000005